【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける通信の方法であって、
ユーザ機器（ＵＥ）によって、受信されたサブフレームにおいて発見基準信号（ＤＲＳ）を受信することと、ここにおいて、前記ＤＲＳの送信されたサブフレームが知られていない、
前記ＤＲＳが発見ウィンドウの第１の部分中で送信されたのか、前記発見ウィンドウの第２の部分中で送信されたのか、前記発見ウィンドウの外部で送信されたのかを決定することを備える、ＤＲＳ測定タイミング構成によって定義される、前記発見ウィンドウに関する前記受信されたサブフレームの相対位置を決定することと、
前記発見ウィンドウに関する前記受信されたサブフレームの前記相対位置に基づいて、複数のスクランブリングシーケンスから前記受信されたＤＲＳをデスクランブルするためのスクランブリングシーケンスを選択することと
を備える、方法。
【請求項２】
前記発見ウィンドウに関する前記受信されたサブフレームの前記相対位置を決定することは、
前記ＤＲＳの相対位置が、前記発見ウィンドウ内のサブフレーム０、１、２、３、または４のうちのいずれかを備えると決定すること
を備え、
ここにおいて、前記スクランブリングシーケンスを選択することが、サブフレーム０に対応する前記複数のスクランブリングシーケンスのうちの１つを選択することを備える、請求項１に記載の方法。
【請求項３】
前記発見ウィンドウに関する前記受信されたサブフレームの前記相対位置を決定することは、
前記ＤＲＳの相対位置が、前記発見ウィンドウ内のサブフレーム５、６、７、８、または９のうちのいずれかを備えると決定すること
を備え、
ここにおいて、前記スクランブリングシーケンスを選択することが、サブフレーム５に対応する前記複数のスクランブリングシーケンスのうちの１つを選択することを備える、請求項１に記載の方法。
【請求項４】
ワイヤレス通信ネットワークにおける通信の方法であって、
ユーザ機器（ＵＥ）によって、受信されたサブフレームにおいてセル固有基準信号（ＣＲＳ）を受信することと、ここにおいて、前記ＣＲＳの送信されたサブフレームが知られていない、
前記受信されたサブフレームが発見ウィンドウの第１の部分中で送信されたのか、前記発見ウィンドウの第２の部分中で送信されたのか、前記発見ウィンドウの外部で送信されたのかを決定することを備える、発見基準信号測定タイミング構成によって定義される、前記発見ウィンドウに関する前記受信されたサブフレームの相対位置を決定することと、
前記発見ウィンドウに関する前記受信されたサブフレームの前記相対位置に基づいて、チャネル状態情報（ＣＳＩ）リソースの存在を決定することと
を備える、方法。
【請求項５】
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、請求項４に記載の方法。
【請求項６】
前記受信されたサブフレームの前記相対位置を決定することは、前記受信されたサブフレームが前記発見ウィンドウの内部にあると決定することを備え、前記方法は、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
をさらに備える、請求項５に記載の方法。
【請求項７】
周期ＣＱＩ要求および非周期ＣＱＩ要求の報告およびＣＳＩ処理のためのタイミング緩和を受信することをさらに備える、請求項６に記載の方法。
【請求項８】
ＰＵＳＣＨリソースまたはＰＵＣＣＨリソースのうちの少なくとも１つが、前記ＤＲＳ中に存在する前記ＣＳＩリソースのＣＳＩ処理に基づいて、前記ＣＳＩリソースを報告するための前記タイミング緩和を用いて構成された、請求項７に記載の方法。
【請求項９】
ワイヤレス通信ネットワークにおける通信のための装置であって、
受信されたサブフレームにおいて発見基準信号（ＤＲＳ）を受信するための手段と、ここにおいて、前記ＤＲＳの送信されたサブフレームが知られていない、
前記ＤＲＳが発見ウィンドウの第１の部分中で送信されたのか、前記発見ウィンドウの第２の部分中で送信されたのか、前記発見ウィンドウの外部で送信されたのかを決定するための手段を備える、ＤＲＳ測定タイミング構成によって定義される、前記発見ウィンドウに関する前記受信されたサブフレームの相対位置を決定するための手段と、
前記発見ウィンドウに関する前記受信されたサブフレームの前記相対位置に基づいて、複数のスクランブリングシーケンスから前記受信されたＤＲＳをデスクランブルするためのスクランブリングシーケンスを選択するための手段と
を備える、装置。
【請求項１０】
前記発見ウィンドウに関する前記受信されたサブフレームの前記相対位置を決定するために、前記受信されたサブフレームの相対位置を決定するための前記手段は、
前記ＤＲＳの相対位置が、前記発見ウィンドウ内のサブフレーム０、１、２、３、または４のうちのいずれかを備えると決定すること
を行うようにさらに構成され、
ここにおいて、前記スクランブリングシーケンスを選択するために、スクランブリングシーケンスを選択するための前記手段が、サブフレーム０に対応する前記複数のスクランブリングシーケンスのうちの１つを選択するようにさらに構成された、
請求項９に記載の装置。
【請求項１１】
前記発見ウィンドウに関する前記受信されたサブフレームの前記相対位置を決定するために、前記受信されたサブフレームの相対位置を決定するための前記手段は、
前記ＤＲＳの相対位置が、前記発見ウィンドウ内のサブフレーム５、６、７、８、または９のうちのいずれかを備えると決定すること
を行うようにさらに構成され、
ここにおいて、前記スクランブリングシーケンスを選択するために、スクランブリングシーケンスを選択するための前記手段が、サブフレーム５に対応する前記複数のスクランブリングシーケンスのうちの１つを選択するようにさらに構成された、
請求項９に記載の装置。
【請求項１２】
ワイヤレス通信ネットワークにおける通信のための装置であって、前記方法は、
受信されたサブフレームにおいてセル固有基準信号（ＣＲＳ）を受信するための手段と、ここにおいて、前記ＣＲＳの送信されたサブフレームが知られていない、
前記受信されたサブフレームが発見ウィンドウの第１の部分中で送信されたのか、前記発見ウィンドウの第２の部分中で送信されたのか、前記発見ウィンドウの外部で送信されたのかを決定するための手段を備える、発見基準信号測定タイミング構成によって定義される、前記発見ウィンドウに関する前記受信されたサブフレームの相対位置を決定するための手段と、
前記発見ウィンドウに関する前記受信されたサブフレームの前記相対位置に基づいて、チャネル状態情報（ＣＳＩ）リソースの存在を決定するための手段と
を備える、装置。
【請求項１３】
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、請求項１２に記載の装置。
【請求項１４】
前記受信されたサブフレームの前記相対位置を決定するために、前記プロセッサは、前記受信されたサブフレームが前記発見ウィンドウの内部にあると決定するようにさらに構成され、ここにおいて、前記プロセッサは、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
を行うようにさらに構成された、請求項１３に記載の装置。
【請求項１５】
コンピュータ上で実行されたとき、前記コンピュータに、請求項１〜８のいずれか一項に記載の方法を実行させるコードを備えるコンピュータプログラム。
【手続補正２】
【補正対象書類名】明細書
【補正対象項目名】０１１１
【補正方法】変更
【補正の内容】
【０１１１】
[00122]上記の開示は、例示的な態様を示すが、様々な変更および修正が、添付の特許請求の範囲によって定義される本開示の範囲から逸脱することなく本明細書において作成可能であることに留意されたい。本明細書で説明された本開示の態様による方法クレームの機能、ステップおよび／またはアクションは、特定の順序で実行されなくてもよい。さらに、いくつかの態様は、単数形で説明または請求されていることがあるが、単数形への限定が明示的に述べられていない限り、複数形が企図される。
以下に、本願の出願当初の特許請求の範囲に記載された発明を付記する。
［Ｃ１］
ワイヤレス通信ネットワークにおける通信の方法であって、
ユーザ機器（ＵＥ）によって、受信されたサブフレームにおいて発見基準信号（ＤＲＳ）を受信することと、ここにおいて、前記ＤＲＳの送信されたサブフレームが知られていない、
発見ウィンドウに関する前記受信されたサブフレームの相対位置を決定することと、  前記発見ウィンドウに関する前記受信されたサブフレームの前記相対位置に基づいて、複数のスクランブリングシーケンスからスクランブリングシーケンスを選択することとを備える、方法。
［Ｃ２］
前記発見ウィンドウに関する前記受信されたサブフレームの前記相対位置を決定することは、
前記ＤＲＳの相対位置が、前記発見ウィンドウ内のサブフレーム０、１、２、３、または４のうちのいずれかを備えると決定すること
を備え、
ここにおいて、前記スクランブリングシーケンスを選択することが、サブフレーム０に対応する前記複数のスクランブリングシーケンスのうちの１つを選択することを備える、Ｃ１に記載の方法。
［Ｃ３］
前記発見ウィンドウに関する前記受信されたサブフレームの前記相対位置を決定することは、
前記ＤＲＳの相対位置が、前記発見ウィンドウ内のサブフレーム５、６、７、８、または９のうちのいずれかを備えると決定すること
を備え、
ここにおいて、前記スクランブリングシーケンスを選択することが、サブフレーム５に対応する前記複数のスクランブリングシーケンスのうちの１つを選択することを備える、Ｃ１に記載の方法。
［Ｃ４］
前記発見ウィンドウに関する前記受信されたサブフレームの前記相対位置を決定することは、
前記受信されたサブフレームにおける前記ＤＲＳの相対位置が、前記発見ウィンドウ内のサブフレーム０、１、２、３、４、６、７、８、９のうちのいずれかを備えると決定すること
を備え、
ここにおいて、前記スクランブリングシーケンスを選択することが、サブフレーム０に対応する前記複数のスクランブリングシーケンスのうちの１つを選択することを備える、Ｃ１に記載の方法。
［Ｃ５］
前記ＤＲＳが、
１次同期信号（ＰＳＳ）、または
２次同期信号（ＳＳＳ）
のうちの少なくとも１つを備える、Ｃ１に記載の方法。
［Ｃ６］
前記発見ウィンドウに関する前記受信されたサブフレームの前記相対位置を決定することは、
前記ＤＲＳの相対位置が、前記発見ウィンドウの外部のサブフレームを備えると決定すること
を備え、
ここにおいて、前記スクランブリングシーケンスを前記選択することが、サブフレーム０またはサブフレーム５のうちの１つに対応する前記複数のスクランブリングシーケンスのうちの１つを選択することを備える、
Ｃ１に記載の方法。
［Ｃ７］
前記ＤＲＳがセル固有基準信号（ＣＲＳ）を備えるかどうかを決定することと、
前記ＤＲＳが前記ＣＲＳを備えると決定することに基づいて、および前記選択されたスクランブリングシーケンスに基づいて、前記ＣＲＳのスクランブリングを決定することとをさらに備える、Ｃ１に記載の方法。
［Ｃ８］
ワイヤレス通信ネットワークにおける通信の方法であって、
ユーザ機器（ＵＥ）によって、受信されたサブフレームにおいてセル固有基準信号（ＣＲＳ）を受信することと、ここにおいて、前記ＣＲＳの送信されたサブフレームが知られていない、
発見ウィンドウに関する前記受信されたサブフレームの相対位置を決定することと、  前記発見ウィンドウに関する前記受信されたサブフレームの前記相対位置に基づいて、チャネル状態情報（ＣＳＩ）リソースの存在を決定することと
を備える、方法。
［Ｃ９］
前記ＣＳＩリソースが存在すると決定することに基づいて、
無線リソース管理（ＲＲＭ）測定、または
チャネル品質インジケータ（ＣＱＩ）のためのチャネル測定
のうちの１つのために前記ＣＳＩリソースを処理すること
をさらに備える、Ｃ８に記載の方法。
［Ｃ１０］
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、Ｃ８に記載の方法。
［Ｃ１１］
前記受信されたサブフレームの前記相対位置を決定することは、前記受信されたサブフレームが前記発見ウィンドウの外部にあると決定することを備え、前記方法は、
前記受信されたサブフレームが全サブフレームを備えるのか、終了部分サブフレームを備えるのか、初期部分サブフレームを備えるのかを決定すること、ここにおいて、前記ＣＳＩリソースの前記存在を決定することは、前記受信されたサブフレームが前記全サブフレームを備えるのか、前記終了部分サブフレームを備えるのか、前記初期部分サブフレームを備えるのかに基づく、
をさらに備える、Ｃ１０に記載の方法。
［Ｃ１２］
サブフレーム内の前記ＣＳＩ−ＲＳ情報およびＣＳＩ−ＩＭ情報の時間および周波数ロケーションが、前記部分サブフレームの構成またはタイプに依存する、Ｃ１１に記載の方法。
［Ｃ１３］
前記受信されたサブフレームの前記相対位置を決定することは、前記受信されたサブフレームが前記発見ウィンドウの内部にあると決定することを備え、前記方法は、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
をさらに備える、Ｃ１０に記載の方法。
［Ｃ１４］
前記ＵＥにおいて、前記ＤＲＳの一部としての前記ＣＳＩ−ＲＳ情報の構成に基づいて、ＤＲＳ測定タイミング構成（ＤＭＴＣ）ウィンドウ内に存在する前記ＣＳＩリソースのうちの１つを監視することをさらに備える、Ｃ１３に記載の方法。
［Ｃ１５］
前記ＵＥにおいて、前記ＤＲＳの一部としての前記ＣＳＩ−ＲＳ情報の構成に基づいて、前記ＤＲＳサブフレーム内に存在する前記ＣＳＩリソースのうちの１つを監視することをさらに備える、Ｃ１３に記載の方法。
［Ｃ１６］
周期ＣＱＩ要求および非周期ＣＱＩ要求の報告およびＣＳＩ処理のためのタイミング緩和を受信することをさらに備える、Ｃ１３に記載の方法。
［Ｃ１７］
ＰＵＳＣＨリソースまたはＰＵＣＣＨリソースのうちの少なくとも１つが、前記ＤＲＳ中に存在する前記ＣＳＩリソースのＣＳＩ処理に基づいて、前記ＣＳＩリソースを報告するための前記タイミング緩和を用いて構成された、Ｃ１６に記載の方法。
［Ｃ１８］
前記構成されたＰＵＳＣＨリソースまたはＰＵＣＣＨリソースのうちの少なくとも１つが、ＲＲＣシグナリングを介してまたは前記非周期ＣＳＩ要求を搬送するアップリンク許可の一部として受信される、Ｃ１７に記載の方法。
［Ｃ１９］
ワイヤレス通信ネットワークにおける通信のための装置であって、
メモリと、
受信されたサブフレームにおいて発見基準信号（ＤＲＳ）を受信するように構成されたトランシーバと、ここにおいて、前記ＤＲＳの送信されたサブフレームが知られていない、
前記トランシーバおよび前記メモリに結合されたプロセッサと
を備え、前記プロセッサが、
発見ウィンドウに関する前記受信されたサブフレームの相対位置を決定することと、    前記発見ウィンドウに関する前記受信されたサブフレームの前記相対位置に基づいて、複数のスクランブリングシーケンスからスクランブリングシーケンスを選択することとを行うように構成された、
装置。
［Ｃ２０］
前記発見ウィンドウに関する前記受信されたサブフレームの前記相対位置を決定するために、前記プロセッサは、
前記ＤＲＳの相対位置が、前記発見ウィンドウ内のサブフレーム０、１、２、３、または４のうちのいずれかを備えると決定すること
を行うようにさらに構成され、
ここにおいて、前記スクランブリングシーケンスを選択するために、前記プロセッサが、サブフレーム０に対応する前記複数のスクランブリングシーケンスのうちの１つを選択するようにさらに構成された、
Ｃ１９に記載の装置。
［Ｃ２１］
前記発見ウィンドウに関する前記受信されたサブフレームの前記相対位置を決定するために、前記プロセッサは、
前記ＤＲＳの相対位置が、前記発見ウィンドウ内のサブフレーム５、６、７、８、または９のうちのいずれかを備えると決定すること
を行うようにさらに構成され、
ここにおいて、前記スクランブリングシーケンスを選択するために、前記プロセッサが、サブフレーム５に対応する前記複数のスクランブリングシーケンスのうちの１つを選択するようにさらに構成された、
Ｃ１９に記載の装置。
［Ｃ２２］
前記発見ウィンドウに関する前記受信されたサブフレームの前記相対位置を決定するために、前記プロセッサは、
前記受信されたサブフレームにおける前記ＤＲＳの相対位置が、前記発見ウィンドウ内のサブフレーム０、１、２、３、４、６、７、８、９のうちのいずれかを備えると決定すること
を行うようにさらに構成され、
ここにおいて、前記スクランブリングシーケンスを選択する、前記プロセッサが、サブフレーム０に対応する前記複数のスクランブリングシーケンスのうちの１つを選択するようにさらに構成された、
Ｃ１９に記載の装置。
［Ｃ２３］
前記ＤＲＳが、
１次同期信号（ＰＳＳ）、または
２次同期信号（ＳＳＳ）
のうちの少なくとも１つを備える、Ｃ１９に記載の装置。
［Ｃ２４］
前記発見ウィンドウに関する前記受信されたサブフレームの前記相対位置を決定するために、前記プロセッサは、
前記ＤＲＳの相対位置が、前記発見ウィンドウの外部のサブフレームを備えると決定すること
を行うようにさらに構成され、
ここにおいて、前記スクランブリングシーケンスを前記選択することが、サブフレーム０またはサブフレーム５のうちの１つに対応する前記複数のスクランブリングシーケンスのうちの１つを選択することを備える、
Ｃ１９に記載の装置。
［Ｃ２５］
ワイヤレス通信ネットワークにおける通信のための装置であって、前記方法は、
メモリと、
受信されたサブフレームにおいてセル固有基準信号（ＣＲＳ）を受信するように構成されたトランシーバと、ここにおいて、前記ＣＲＳの送信されたサブフレームが知られていない、
前記トランシーバおよび前記メモリに結合されたプロセッサと
を備え、前記プロセッサが、
発見ウィンドウに関する前記受信されたサブフレームの相対位置を決定することと、    前記発見ウィンドウに関する前記受信されたサブフレームの前記相対位置に基づいて、チャネル状態情報（ＣＳＩ）リソースの存在を決定することと
を行うように構成された、
装置。
［Ｃ２６］
前記プロセッサが、
前記ＣＳＩリソースが存在すると決定することに基づいて、
無線リソース管理（ＲＲＭ）測定、または
チャネル品質インジケータ（ＣＱＩ）のためのチャネル測定
のうちの１つのために前記ＣＳＩリソースを処理すること
を行うようにさらに構成された、Ｃ２５に記載の装置。
［Ｃ２７］
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、Ｃ２５に記載の装置。
［Ｃ２８］
前記受信されたサブフレームの前記相対位置を決定するために、前記プロセッサは、前記受信されたサブフレームが前記発見ウィンドウの外部にあると決定するようにさらに構成され、ここにおいて、前記プロセッサは、
前記受信されたサブフレームが全サブフレームを備えるのか、終了部分サブフレームを備えるのか、初期部分サブフレームを備えるのかを決定すること、ここにおいて、前記ＣＳＩリソースの前記存在を決定することは、前記受信されたサブフレームが前記全サブフレームを備えるのか、前記終了部分サブフレームを備えるのか、前記初期部分サブフレームを備えるのかに基づく、
を行うようにさらに構成された、Ｃ２７に記載の装置。
［Ｃ２９］
サブフレーム内の前記ＣＳＩ−ＲＳ情報およびＣＳＩ−ＩＭ情報の時間および周波数ロケーションが、前記部分サブフレームの構成またはタイプに依存する、Ｃ２８に記載の装置。
［Ｃ３０］
前記受信されたサブフレームの前記相対位置を決定するために、前記プロセッサは、前記受信されたサブフレームが前記発見ウィンドウの内部にあると決定するようにさらに構成され、ここにおいて、前記プロセッサは、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
を行うようにさらに構成された、Ｃ２７に記載の装置。